(57)【要約】【課題】より高い受信効率を得ることが可能なダイバーシチ受信機を提供することを目的とする。【解決手段】アンテナ２〜４のそれぞれの反射係数−周波数特性が、受信信号のベースバンド信号のレベルが最も大きくなるアンテナの反射係数−周波数特性と同じになるように、アンテナ２〜４のそれぞれの反射係数−周波数特性を変化させるためのレジスタ値の読み出しアドレスを設定する。【選択図】図１
2010010887.tif 000002
【特許請求の範囲】
【請求項１】
予め互いに異なる第１及び第２のレジスタ値が記録される記録手段と、
それぞれ、前記記録手段から読み出される第１又は第２のレジスタ値に応じた受信状態に設定される第１及び第２のアンテナと、
前記第１及び第２のレジスタ値のそれぞれの読み出しアドレスを前記アンテナ毎に設定する読み出しアドレス設定手段と、
前記第１及び第２のアンテナにより受信される各信号のレベルをそれぞれ検出する第１及び第２のレベル検出手段と、
前記第１及び第２のレベル検出手段により検出される各レベルのうち最も大きいレベルを検出する比較手段と、
を備え、
前記読み出しアドレス設定手段は、信号受信前において、前記第１のアンテナに前記第１のレジスタ値を読み出すための読み出しアドレスを設定するとともに、前記第２のアンテナに前記第２のレジスタ値を読み出すための読み出しアドレスを設定し、信号受信後において、前記比較手段により検出されたレベルに対応する前記第１又は第２のアンテナに設定された読み出しアドレスを、前記第１及び第２のアンテナにそれぞれ設定する
ことを特徴とするダイバーシチ受信機。
【請求項２】
請求項１に記載のダイバーシチ受信機であって、
前記第１及び第２のアンテナは、それぞれ、前記第１又は第２のレジスタ値に基づいて反射係数−周波数特性が変化する
ことを特徴とするダイバーシチ受信機。
【請求項３】
請求項１に記載のダイバーシチ受信機であって、
前記第１及び第２のアンテナは、それぞれ、前記第１又は第２のレジスタ値にもとづいて指向性が変化する
ことを特徴とするダイバーシチ受信機。
【請求項４】
請求項１〜３の何れか１項に記載のダイバーシチ受信機であって、
前記第１及び第２のアンテナにより受信された各信号を合成し復調する復調手段を備え、
前記読み出しアドレス設定手段は、前記復調手段から出力される復調処理時のエラー率が閾値以上になると、前記第１のアンテナに前記第１のレジスタ値を読み出すための読み出しアドレスを設定するとともに、前記第２のアンテナに前記第２のレジスタ値を読み出すための読み出しアドレスを設定する
ことを特徴とするダイバーシチ受信機。
【発明の詳細な説明】
【技術分野】
【０００１】
本発明は、複数のアンテナを備えるダイバーシチ受信機に関する。
【背景技術】
【０００２】
図５は、従来のダイバーシチ受信機を示す図である。
図５に示すダイバーシチ受信機５０は、アンテナ５１〜５３と、ＬＮＡ（Ｌｏｗ  Ｎｏｉｓｅ  Ａｍｐｌｉｆｉｅｒ）５４〜５６と、位相シフタ５７〜５９と、合成回路６０と、検波復調回路６１と、記憶回路６２と、位相制御回路６３とを備えて構成されている。
【０００３】
アンテナ５１〜５３のそれぞれの指向性は互いに異なるように設定されており、アンテナ５１により受信される受信信号はＬＮＡ５４においてレベルが調整され、アンテナ５２により受信される受信信号はＬＮＡ５５においてレベルが調整され、アンテナ５３により受信される受信信号はＬＮＡ５６においてレベルが調整される。ＬＮＡ５４〜５６からそれぞれ出力される信号は、位相シフタ５７〜５９において振幅と位相が可変された後、合成回路６０において合成される。合成回路６０により合成された信号は、検波復調回路６１において検波処理及び復調処理が行われる。また、ダイバーシチ受信機５０のＲＳＳＩが最大になるように、位相シフタ５７〜５９において振幅と位相が制御され、アンテナ５１〜５３のビーム方向が操作される。
【０００４】
また、従来の他のダイバーシチ受信機として、複数のアンテナのそれぞれの指向性を互いに異なるように設定し、指向性の高いアンテナだけを使用するものがある。
このように、ダイバーシチ受信機は、広帯域においてフェージングの影響を抑えて高い受信効率を得ることができる（例えば、特許文献１又は特許文献２参照）。
【特許文献１】特開平１１−９８０４９号公報
【特許文献２】特開２００１−１７７４５６号公報
【発明の開示】
【発明が解決しようとする課題】
【０００５】
本発明では、より高い受信効率を得ることが可能なダイバーシチ受信機を提供することを目的とする。
【課題を解決するための手段】
【０００６】
上記の課題を解決するために本発明では、以下のような構成を採用した。
すなわち、本発明のダイバーシチ受信機は、予め互いに異なる第１及び第２のレジスタ値が記録される記録手段と、それぞれ、前記記録手段から読み出される第１又は第２のレジスタ値に応じた受信状態に設定される第１及び第２のアンテナと、前記第１及び第２のレジスタ値のそれぞれの読み出しアドレスを前記アンテナ毎に設定する読み出しアドレス設定手段と、前記第１及び第２のアンテナにより受信される各信号のレベルをそれぞれ検出する第１及び第２のレベル検出手段と、前記第１及び第２のレベル検出手段により検出される各レベルのうち最も大きいレベルを検出する比較手段とを備え、前記読み出しアドレス設定手段は、信号受信前において、前記第１のアンテナに前記第１のレジスタ値を読み出すための読み出しアドレスを設定するとともに、前記第２のアンテナに前記第２のレジスタ値を読み出すための読み出しアドレスを設定し、信号受信後において、前記比較手段により検出されたレベルに対応する前記第１又は第２のアンテナに設定された読み出しアドレスを、前記第１及び第２のアンテナにそれぞれ設定する。
【０００７】
これにより、第１及び第２のアンテナにより受信される各信号のレベルを全て高くし、
それらの信号を合成したものに対して復調することができるので、復調処理時のエラー率を抑えより高い受信効率を得ることができる。
【０００８】
また、前記第１及び第２のアンテナは、それぞれ、前記第１又は第２のレジスタ値に基づいて反射係数−周波数特性が変化するように構成してもよい。
また、前記第１及び第２のアンテナは、それぞれ、前記第１又は第２のレジスタ値に基づいて指向性が変化するように構成してもよい。
【０００９】
また、本発明のダイバーシチ受信機は、前記第１及び第２のアンテナにより受信された各信号を合成し復調する復調手段を備え、前記読み出しアドレス設定手段は、前記復調手段から出力される復調処理時のエラー率が閾値以上になると、前記第１のアンテナに前記第１のレジスタ値を読み出すための読み出しアドレスを設定するとともに、前記第２のアンテナに前記第２のレジスタ値を読み出すための読み出しアドレスを設定するように構成してもよい。
【００１０】
これにより、ダイバーシチ受信機が移動したりチャネルが切り替わり受信環境が変化しても第１及び第２のアンテナにより受信される各信号のレベルを全て高くすることができより高い受信効率を得ることができる。
【発明の効果】
【００１１】
本発明によれば、ダイバーシチ受信機においてより高い受信効率を得ることができる。
【発明を実施するための最良の形態】
【００１２】
以下、図面を用いて本発明の実施形態を説明する。
図１は、本発明の実施形態のダイバーシチ受信機を示す図である。
図１に示すダイバーシチ受信機１は、アンテナ２〜４と、ＲＦ部５〜７と、レベル検出部８〜１０と、プロセッサ１１と、復調部１２と、復号部１３とを備えて構成されている。例えば、特許請求の範囲における第１のアンテナはアンテナ２に対応し、第２のアンテナはアンテナ３に対応し、第１のレベル検出手段はレベル検出部８に対応し、第２のレベル検出手段はレベル検出部９に対応し、復調手段は復調部１２に対応する。
【００１３】
アンテナ２〜４は、それぞれ、可変容量素子を備え、可変容量素子に与えられる制御電圧に応じて可変容量素子の容量が変化し、反射係数−周波数特性が変化する。
ＲＦ部５は、プリアンプ１４と、ミキサ１５と、ベースバンドフィルタ１６と、アンプ１７とを備えて構成されている。なお、ＲＦ部６、７もＲＦ部５と同様の構成とする。受信信号は、プリアンプ１４によりレベルが調整された後、ミキサ１５において不図示の発振器から出力されるキャリア信号と積算されベースバンド信号に変換される。ベースバンド信号は、ベースバンドフィルタ１６を介してアンプ１７に出力され、アンプ１７においてレベルが調整された後、復調部１２に出力される。
【００１４】
レベル検出部８〜１０は、それぞれ、プリアンプ１４のゲインを調整する不図示のＡＧＣ回路内のレベル検出部であって、ミキサ１５から出力されるベースバンド信号のレベル（ＲＳＳＩ（Ｒｅｃｅｉｖｅｄ  Ｓｉｇｎａｌ  Ｓｔｒｅｎｇｔｈ  Ｉｎｄｉｃａｔｏｒ））を検出する。
【００１５】
復調部１２は、加算器１８、１９と、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）復調部２０と、レベル検出部２１〜２３と、エラー検出部２４とを備えて構成されている。
【００１６】
加算器１８は、ＲＦ部５、６からそれぞれ出力されるベースバンド信号を加算して加算
器１９に出力する。
加算器１９は、加算器１８から出力される信号と、ＲＦ部７から出力されるベースバンド信号とを加算してＯＦＤＭ復調部２０に出力する。
【００１７】
ＯＦＤＭ復調部２０は、加算器１９から出力される信号をＯＦＤＭ復調して復号部１３に出力する。
レベル検出部２１〜２３は、それぞれ、アンプ１７のゲインを調整する不図示のＡＧＣ回路内のレベル検出部であって、アンプ１７から出力される信号のレベルを検出する。
【００１８】
エラー検出部２４は、加算器１９から出力される信号のうち復調できない部分の割合を示すエラー率を検出する。
復号部１３は、音声映像データ処理部２５と、エラー検出部２６とを備えて構成されている。
【００１９】
音声映像データ処理部２５は、復調部１２から出力されるＯＦＤＭ復調後の信号を音声、映像、又はデータに変換する。
エラー検出部２６は、復調部１２から出力されるＯＦＤＭ復調後の信号のうち音声、映像、又はデータに変換できない部分の割合を示すエラー率を検出する。
【００２０】
プロセッサ１１は、ダイバーシチ受信機１全体の動作を制御するものであって、比較部２７と、読み出しアドレス設定部２８と、レジスタ２９と、Ｄ／Ａ変換部３０を備えて構成されている。例えば、特許請求の範囲における比較手段は比較部２７に対応し、読み出しアドレス設定手段は読み出しアドレス設定部２８に対応し、記録手段はレジスタ２９に対応する。
【００２１】
比較部２７は、コンパレータなどにより構成され、レベル検出部８〜１０から出力される各レベルのうち最も大きいレベルを検出し、そのレベルの信号を受信したアンテナに対応する設定値を読み出しアドレス設定部２８に送る。
【００２２】
レジスタ２９は、ＲＯＭなどにより構成され、予め互いに異なるレジスタ値Ａ〜Ｃ（デジタル値）が記録されている。
読み出しアドレス設定部２８は、レジスタ値Ａ〜Ｃのそれぞれの読み出しアドレスをアンテナ毎に設定する。
【００２３】
Ｄ／Ａ変換部３０は、レジスタ２９から読み出されたレジスタ値を制御電圧（アナログ値）に変換して出力する。アンテナ２〜４は、Ｄ／Ａ変換部３０から出力される制御電圧に応じて可変容量素子の容量が変化し、反射係数−周波数特性が変化する。
【００２４】
図２は、プロセッサ１１の動作を説明するためのフローチャートである。
まず、プロセッサ１１は、初期状態（信号受信前の状態）において、読み出しアドレス設定部２８により、アンテナ２〜４のそれぞれの反射係数−周波数特性が互いに異なるように、読み出しアドレスを設定する（ステップＳ１）。例えば、レジスタ２９から読み出されたレジスタ値Ａが制御電圧に変換されてアンテナ２に出力され、レジスタ２９から読み出されたレジスタ値Ｂが制御電圧に変換されてアンテナ３に出力され、レジスタ２９から読み出されたレジスタ値Ｃが制御電圧に変換されてアンテナ４に出力されるように、読み出しアドレス設定部２８により読み出しアドレスを設定し、図３（ａ）に示すように、アンテナ２〜４のそれぞれの反射係数−周波数特性を互いに異ならせる。
【００２５】
次に、プロセッサ１１は、ＲＦ部５〜７、復調部１２、及び復号部１３などの動作を制御し、復号部１３から音声、映像、又はデータを出力させる（ステップＳ２）。
次に、プロセッサ１１は、比較部２７により、レベル検出部８〜１０からそれぞれ出力されるレベルのうち最も大きいレベルを検出し、そのレベルの信号を受信したアンテナに対応する設定値を、読み出しアドレス設定部２８に送る（ステップＳ３）。例えば、アンテナ２〜４と設定値Ａ〜Ｃとが対応付けられて記憶される記憶部を参照して、最も大きいレベルの信号を受信したアンテナに対応する設定値を求める。図３（ｂ）に示すように、周波数ｂの受信信号を受信した場合、アンテナ２の反射係数−周波数特性が最も良く、レベル検出部８から出力されるレベルが最も大きくなる。このとき、比較部２７は、アンテナ２に対応する設定値Ａを、読み出しアドレス設定部２８に送る。
【００２６】
次に、プロセッサ１１は、読み出しアドレス設定部２８により、比較部２７から送られてきた設定値に対応する読み出しアドレスを設定する（ステップＳ４）。
次に、プロセッサ１１は、ステップＳ４で設定された読み出しアドレスに対応するレジスタ値をレジスタ２９から読み出し、そのレジスタ値をＤ／Ａ変換部３０により制御電圧に変換しアンテナ２〜４にそれぞれ出力する（ステップＳ５）。これにより、例えば、図３（ｃ）に示すように、アンテナ３、４のそれぞれの反射係数−周波数特性がアンテナ２の反射係数−周波数特性と同じになる。
【００２７】
次に、プロセッサ１１は、読み出しアドレス設定部２８により、エラー検出部２４から出力されるエラー率が閾値以上であるか否かを判断する（ステップＳ６）。
エラー率が閾値以上であると判断した場合（ステップＳ６がＹｅｓ）、プロセッサ１１は、ステップＳ１に戻り、読み出しアドレス設定部２８により、アンテナ２〜４のそれぞれの反射係数−周波数特性が互いに異なるように読み出しアドレスを設定する。
【００２８】
本実施形態のダイバーシチ受信機１は、アンテナ２〜４により受信される各受信信号のベースバンド信号のレベルを全て高くし、それらの信号を合成したものに対して復調することができるので、復調処理時のエラー率を抑えより高い受信効率を得ることができる。
【００２９】
また、本実施形態のダイバーシチ受信機１は、エラー検出部２４から出力されるエラー率が閾値以上になると、アンテナ２〜４のそれぞれの反射係数−周波数特性が互いに異なるように読み出しアドレスを設定しているので、ダイバーシチ受信機１が移動したりチャネルが切り替わり受信環境が変化してもベースバンド信号のレベルを全て高くすることができより高い受信効率を得ることができる。
【００３０】
なお、上記実施形態では、アンテナ２〜４のそれぞれの受信状態として反射係数−周波数特性が、ベースバンド信号のレベルが最も高くなるアンテナの反射係数−周波数特性と同じになるようにレジスタ値の読み出しアドレスを設定する構成であるが、アンテナ２〜４のそれぞれの指向性が、ベースバンド信号のレベルが最も高くなるアンテナの指向性と同じになるようにレジスタ値の読み出しアドレスを設定するように構成してもよい。
【００３１】
例えば、まず、図４（ａ）に示すように、アンテナ２〜４のそれぞれの指向性を互いに異ならせる。
次に、図４（ｂ）に示す位置に送信局がある場合、アンテナ３の指向性が最も良いため、レベル検出部９から出力されるレベルが最も大きくなる。
【００３２】
そして、図４（ｃ）に示すように、アンテナ２、４のそれぞれの指向性が、アンテナ３の指向性と同じになるように、すなわち、レジスタ２９からＤ／Ａ変換部３０に出力されるレジスタ値が全てレジスタ値Ｂになるように、読み出しアドレスを設定する。
【００３３】
このように構成しても、アンテナ２〜４により受信される受信信号のベースバンド信号を良い受信状態で合成することができより高い受信効率を実現することができる。また、
このような構成は、ダイバーシチ受信機１を移動体とした場合に好適である。また、このように構成する場合において、アンテナ２〜４のそれぞれの指向性をデジタル的に変更可能に構成し、Ｉ２Ｃ（登録商標）を用いてレジスタ値Ａ〜ＣをＤ／Ａ変換部３０を介さず直接アンテナ２〜４に出力してもよい。これにより、Ｄ／Ａ変換部３０を省略できるため回路規模を小さくすることができる。
【００３４】
また、上記実施形態では、３つのアンテナ２〜４を備える構成であるが、２つまたは４つ以上のアンテナを備えて構成してもよい。
また、上記実施形態では、レベル検出部８〜１０から出力される各レベルのうち最も大きいレベルの信号を受信するアンテナに対応するレジスタ値に基づいて、読み出しアドレスを設定する構成であるが、レベル検出部２１〜２３から出力される各レベルのうち最も大きいレベルの信号を受信するアンテナに対応するレジスタ値に基づいて読み出しアドレスを設定するように構成してもよい。
【００３５】
また、上記実施形態では、エラー検出部２４から出力されるエラー率が閾値以上になると、アンテナ２〜４のそれぞれの反射係数−周波数特性又は指向性を互いに異ならせる構成であるが、エラー検出部２６から出力されるエラー率が閾値以上になると、アンテナ２〜４のそれぞれの反射係数−周波数特性又は指向性を互いに異ならせるように構成してもよい。
【図面の簡単な説明】
【００３６】
【図１】本発明の実施形態のダイバーシチ受信機を示す図である。
【図２】プロセッサの動作を説明するためのフローチャートである。
【図３】アンテナの反射係数−周波数特性を示す図である。
【図４】アンテナの指向性を示す図である。
【図５】従来のダイバーシチ受信機を示す図である。
【符号の説明】
【００３７】
１  ダイバーシチ受信機
２〜４  アンテナ
５〜７  ＲＦ部
８、９  レベル検出部
１０  レベル検出部
１１  プロセッサ
１２  復調部
１３  復号部
１４  プリアンプ
１５  ミキサ
１６  ベースバンドフィルタ
１７  アンプ
１８、１９  加算器
２０  ＯＦＤＭ復調部
２１〜２３  レベル検出部
２４  エラー検出部
２５  音声映像データ処理部
２６  エラー検出部
２７  比較部
２８  読み出しアドレス設定部
２９  レジスタ
３０  Ｄ／Ａ変換部
【図１】
2010010887.tif 000003
【図２】
2010010887.tif 000004
【図３】
2010010887.tif 000005
【図４】
2010010887.tif 000006
【図５】
2010010887.tif 000007